(57)【要約】    【課題】耐力壁の状態の目視確認が容易であると共に、屋内への雨水の侵入防止対策および建築物の強度の確保がされた上で従来よりも安価に建築可能な木造建築物を提供する。    【解決手段】木材で形成される壁枠組４１と、鉛直方向に並んだ接合具Ｎによって壁枠組４１に接合される縦縁部分を有し、耐力壁４０を構成する壁用構造用合板４２と、隣接する壁用構造用合板４２の縦縁部分にまたがる位置で壁用構造用合板４２の屋外側に固定される縦あて木４６と、壁用構造用合板４２と縦あて木４６との間に介在して縦縁部分に沿って延びる防水部材４７とを備え、壁用構造用合板４２および縦あて木４６が屋外に露出している木造枠組壁工法で建築された木造建築物１とする。    【選択図】図２
2018076710.tif 000002
【特許請求の範囲】
【請求項１】
耐力壁を有し、木造枠組壁工法で建築される木造建築物であって、
木材で形成される枠組であり、前記耐力壁の一部を構成する壁枠組と、
鉛直方向に並んだ接合具によって前記壁枠組に接合される縦縁部分を有し、前記耐力壁の一部を構成する複数の壁用構造用合板と、
前記鉛直方向に延びる木材であり、隣接する前記壁用構造用合板における互いの前記縦縁部分にまたがる位置で前記壁用構造用合板の屋外側に固定される縦あて木と、
前記壁用構造用合板と前記縦あて木との間に介在して前記縦縁部分に沿って延びる防水部材と、を備え、
前記壁用構造用合板および前記縦あて木の前記屋外側の面は、屋外に露出する木造建築物。
【請求項２】
前記防水部材は、両面テープである請求項１に記載の木造建築物。
【請求項３】
前記防水部材は、ゴムまたはエラストマーにより形成されている請求項１に記載の木造建築物。
【請求項４】
前記壁用構造用合板は、前記縦あて木と対峙する面において、前記接合具の位置よりも内側に前記鉛直方向に延びる凹みで前記防水部材がはまり込む第１の溝部が形成されている請求項１ないし３のいずれか一項に記載の木造建築物。
【請求項５】
前記縦あて木は、前記壁用構造用合板と対峙する面において、前記接合具の位置よりも外側に前記鉛直方向に延びる凹みで前記防水部材がはまり込む第２の溝部が形成されている請求項１ないし４のいずれか一項に記載の木造建築物。
【請求項６】
前記鉛直方向に延びて、隣接する前記壁用構造用合板における互いの前記縦縁部分にまたがる位置で前記壁枠組と前記壁用構造用合板との間に配置される排水ガイドをさらに備える請求項１ないし５のいずれか一項に記載の木造建築物。
【請求項７】
前記壁用構造用合板は、下側のコーナーが斜めにカットされている請求項６に記載の木造建築物。
【請求項８】
前記縦あて木は、下端部の前記壁用構造用合板側に斜面が形成されている請求項６または請求項７に記載の木造建築物。
【発明の詳細な説明】
【技術分野】
【０００１】
本発明は、木造枠組壁工法で建築される木造建築物に関するものである。
【背景技術】
【０００２】
木造枠組壁工法で建築される木造建築物は、耐力壁と剛床を強固に一体化させた箱型構造で、主に耐力壁で建築物を支える構造となっている。この耐力壁は、建築基準法で定められる強度を確保すべく、木材を使用した壁枠組とその壁枠組に１０ｃｍピッチの接合具で固定された壁用構造用合板で構成されている。そして、このような木造建築物は、耐力壁の屋外側に防水紙等を挟んでサイディング材の貼り付け等によって外観となる壁面（以下「外壁面」と記載する）が形成されている。たとえば、特許文献１には、室外側の最も外側が合成樹脂系サイディング層で構成されている外壁構造体が開示されている。
【０００３】
耐力壁の屋外側に設けられる防水紙は、雨水等が壁用構造用合板の継ぎ目から屋内に侵入するのを防止していると共に、耐力壁に直接雨水が触れるのを防止している。また、外壁面を構成するサイディング材は、露出すると外観上好ましくない上述の１０ｃｍピッチの接合具を含め耐力壁全体を覆って外壁面を形成している。
【先行技術文献】
【特許文献】
【０００４】
【特許文献１】特願２００５−９０１６５号公報
【発明の概要】
【発明が解決しようとする課題】
【０００５】
しかしながら、木造枠組壁工法で建築される木造建築物は、気密性が高いために湿気が抜けにくく、耐力壁が腐食する可能性がある。そして、従来のサイディング材等で外壁面が形成された木造建築物は、耐力壁をサイディング材等で覆ってしまうため、耐力壁が腐食したとしても目視確認が困難であり、腐食に気づかないという課題がある。また、屋内への雨水の侵入防止対策および建築物の強度の確保がされている上で、より安価に木造建築物を建築したいという要望がある。
【０００６】
本発明は、かかる事情に鑑みてなされたものであり、耐力壁の状態の目視確認が容易であると共に、屋内への雨水の侵入防止対策および建築物の強度の確保がされた上で、従来よりも安価に建築可能な木造枠組壁工法で建築される木造建築物を提供することを課題としている。
【課題を解決するための手段】
【０００７】
上記課題を解決すべく、第１観点の木造建築物は、耐力壁を有し、木造枠組壁工法で建築される木造建築物であって、木材で形成される枠組であり、耐力壁の一部を構成する壁枠組を備えている。また、この木造建築物は、鉛直方向に並んだ接合具によって壁枠組に接合される縦縁部分を有し、前記耐力壁の一部を構成する複数の壁用構造用合板を備えている。また、この木造建築物は、鉛直方向に延びる木材であり、隣接する壁用構造用合板における互いの縦縁部分にまたがる位置で壁用構造用合板の屋外側に固定される縦あて木を備えている。また、この木造建築物は、壁用構造用合板と縦あて木との間に介在して縦縁部分に沿って延びる防水部材を備えている。そして、この木造建築物の壁用構造用合板および縦あて木の屋外側の面は、屋外に露出している。
【０００８】
また、第２観点の木造建築物は、第１観点の木造建築物であって、防水部材が両面テープである。
【０００９】
また、第３観点の木造建築物は、第１観点の木造建築物であって、防水部材がゴムまたはエラストマーにより形成されている。
【００１０】
また、第４観点の木造建築物は、第１から第３観点のいずれかの木造建築物であって、壁用構造用合板の縦あて木と対峙する面において、接合具の位置よりも内側に鉛直方向に延びる凹みで防水部材がはまり込む第１の溝部が形成されている。
【００１１】
また、第５観点の木造建築物は、第１から第４観点のいずれかの木造建築物であって、縦あて木の壁用構造用合板と対峙する面において、接合具の位置よりも外側に鉛直方向に延びる凹みで防水部材がはまり込む第２の溝部が形成されている。
【００１２】
また、第６観点の木造建築物は、第１から第５観点のいずれかの木造建築物であって、鉛直方向に延びて、隣接する壁用構造用合板における互いの縦縁部分にまたがる位置で壁枠組と壁用構造用合板との間に配置される排水ガイドをさらに備えている。
【００１３】
また、第７観点の木造建築物は、第６観点の木造建築物であって、壁用構造用合板の下側のコーナーが斜めにカットされている。
【００１４】
また、第８観点の木造建築物は、第６または第７観点の木造建築物であって、縦あて木の下端部の壁用構造用合板側に斜面が形成されている。
【発明の効果】
【００１５】
第１観点では、この木造建築物は、壁用構造用合板の縦縁部分が接合具によって壁枠組にしっかり接合されて構成された耐力壁を有しており、この耐力壁が用いられて木造枠組工法で建築されているため、建築強度が確保されている。また、複数並べられた壁用構造用合板間の隙間から屋内に雨水が侵入する恐れがあるが、この木造建築物は、隣接する壁用構造用合板における互いの縦縁部分にまたがる位置で屋外側から固定される縦あて木を備えているため、直接この隙間から雨水が侵入しない。そして、この木造建築物は、壁用構造用合板と縦あて木との間に介在する防水部材をそなえているため、壁用構造用合板と縦あて木との間を通って壁用構造用合板間の隙間に侵入する雨水の流路が遮断されている。これらにより、この木造建築物は、屋内への雨水の侵入が防止されている。また、この木造建築物は、壁用構造用合板および縦あて木の屋外側の面が屋外に露出しているため、耐力壁の状態の目視確認が容易である。また、この木造建築物は、耐力壁を覆うサイディング材等を用いない分、従来よりも安価に建築可能である。したがって、第１観点によれば、耐力壁の状態の目視確認が容易であると共に、屋内への雨水の侵入防止対策および建築物の強度の確保がされた上で、従来よりも安価に建築可能な木造枠組壁工法で建築される木造建築物を提供することができる。
【００１６】
なお、この木造建築物の壁用構造用合板は、従来のように防水紙で覆われていないため、雨水が直接あたる。しかし、この壁用構造用合板は、大部分が屋外に露出しており乾燥しやすいため、腐食し難い。また、この木造建築物は、露出すると外観上好ましくない接合具や壁用構造用合板間の隙間が縦あて木により覆われているため、外観上の点でも良好である。
【００１７】
また、第２観点では、この木造建築物の防水部材は、両面テープが用いられており施工が容易である。したがって、第２観点によれば、容易な施工で壁用構造用合板間の隙間への雨水の侵入を防ぐことができる。
【００１８】
また、第３観点では、この木造建築物の防水部材は、ゴムまたはエラストマーといった弾力性がある材質が用いられており、壁用構造用合板および縦あて木にしっかり密着する。したがって、第３観点によれば、壁用構造用合板間の隙間への雨水の侵入を鉛直方向全体にわたって防ぐことができる。
【００１９】
また、第４観点では、この木造建築物の壁用構造用合板は、防水部材がはまり込む第１の溝部が形成されており、防水部材がずれ難くなっているのと共に防水部材との密着面積が大きくなっている。したがって、第４観点によれば、壁用構造用合板間の隙間への雨水の侵入をよりしっかり防ぐことができる。
【００２０】
また、第５観点では、この木造建築物の縦あて木は、防水部材がはまり込む第２の溝部が形成されており、防水部材がずれ難くなっているのと共に防水部材との密着面積が大きくなっている。したがって、第５観点によれば、壁用構造用合板間の隙間への雨水の侵入をよりしっかりと防ぐことができる。
【００２１】
また、第６観点では、この木造建築物は、壁枠組と壁用構造用合板との間に配置された排水ガイドを備えているため、たとえ壁用構造用合板間の隙間に雨水が侵入したとしても、この排水ガイドを伝って雨水が下方に導かれて排出される。したがって、第６観点によれば、壁用構造用合板間の隙間から屋内への雨水の到達を防ぐことができる。
【００２２】
また、第７観点では、この木造建築物は、壁用構造用合板の下側のコーナーが斜めにカットされているため、壁用構造用合板間の隙間が下方で壁面に平行な方向において広がっている。これにより、排水ガイドを伝って下方に導かれた雨水は、下端部で詰まり難くなり、屋外に排出されやすくなる。したがって、第７観点によれば、壁用構造用合板間の隙間から屋内への雨水の到達の恐れを低減することができる。
【００２３】
また、第８観点では、この木造建築物は、縦あて木の下端部の構造用合板側に斜面が形成されているため、下方において壁用構造用合板と縦あて木との間に空間ができる。この空間は、壁用構造用合板間の隙間と繋がっている。これにより、排水ガイドを伝って下方に導かれた雨水は、下端部で詰まり難くなり、屋外に排出されやすくなる。したがって、第８観点によれば、壁用構造用合板間の隙間から屋内への雨水の到達の恐れを低減することができる。
【図面の簡単な説明】
【００２４】
【図１】第１実施形態の木造建築物を示す斜視図である。
【図２】図１におけるＨ−Ｈ断面図である。
【図３】図１におけるＶ−Ｖ断面図である。
【図４】図２におけるＦ−Ｆ断面図である。
【図５】第２実施形態の木造建築物の耐力壁を水平方向に切断した横断面図である。
【図６】第３実施形態の木造建築物の耐力壁を水平方向に切断した横断面図である。
【発明を実施するための形態】
【００２５】
以下に図面を参照して本発明の一実施形態である木造建築物について説明するが、本発明は、これらの実施形態に限定されるわけではない。特に、以下で使用している木材のサイズを具体的に記載して説明している部分があるが、記載されたサイズの木材によらなくても構成できることはもちろんである。また、本明細書では、重力の方向に対して垂直な方向を水平方向、水平方向に対して垂直な方向を鉛直方向として説明する。また、図面では、鉛直方向に「Ｚ」、鉛直方向における上側に「Ｚ１」、鉛直方向における下側に「Ｚ２」の符号を付している。また、図面において水平方向で互いに直角をなす方向にＸ、Ｙの符号を付し、本明細書では、それぞれ「Ｘ方向」、「Ｙ方向」として説明する場合がある。また、本明細書では、壁に対して建築物の屋内を向く側を「屋内側」、屋外を向く側を「屋外側」として説明する場合がある。
【００２６】
＜第１実施形態＞
＜＜全体構成＞＞
図１は、本実施形態の木造建築物１について、内部構造が見えるように一部壁等を切り欠いて示す斜視図である。木造建築物１は、木造枠組壁工法で建築されており、パネル化された床と壁とを強固に一体化させて、面で建築物を支える、いわゆる箱型構造となっている。木造枠組壁工法で建築された木造建築物は、建築物の重量や外部から加わる力に耐えられるよう、強度のある壁である耐力壁を有する。また、一般的には木造枠組工法で建築された木造建築物は、耐力壁で周りをしっかりと囲われているため、気密性が高い反面、屋内外の温度差による結露で壁が湿気を含みやすい木造建築物である。木造建築物１は、地面Ｇに対し建築物をしっかり固定する基礎部２と、建築物の床を構成する床部３と、建築物の壁を構成する壁部４と、建築物の屋根を構成する屋根部５と、を備えている。木造建築物１は、床部３、壁部４、および屋根部５で囲われた屋内空間が形成されている。
【００２７】
また、木造建築物１は、二階建ての住宅となっており、天井部分がその上の階の床部分を構成している。以下において、天井部分と床部分とは特に区別せずに床部３として説明する。また、各階における床部３および壁部４の構成は同等であるため、以下においては各階ごとに繰り返しての説明は行わない。なお、本実施形態の木造建築物１は、二階建ての住宅であるが、本発明は、平屋の住宅や物置等、さまざまな木造枠組壁工法で建築される建築物に適用可能である。
【００２８】
＜＜基礎部＞＞
基礎部２は、地面Ｇに接地する基礎２１と、基礎２１の上に設置される土台２２と、を備えている。
【００２９】
基礎２１は、いわゆるべた基礎であり、鉄筋コンクリートで形成されている。基礎２１は、下方が地下に根入れされ、上方が地上で立ち上がっており、建築物をしっかり地面Ｇに固定させていると共に建築物を安定させている。基礎２１の上面は、しっかり水平がとられ、上面が水平面となるように形成されている。なお、本実施形態では、基礎２１は、べた基礎で形成されているが、布基礎、独立基礎等、他の方法で形成されていてもよい。
【００３０】
土台２２は、いわゆる２×４材と呼ばれる規格化されたサイズの木材で形成されており、基礎２１の上面に、その上面から突出するアンカーボルトによってしっかり固定されている。土台２２は、基礎２１と床部３とをしっかり連結させている。
【００３１】
＜＜床部＞＞
床部３は、基礎部２の土台２２の上面に水平方向に広がるように設置されて、土台２２に固定されている。なお、天井部分を形成する床部３は、壁部４の上面に水平方向に広がるように設置されて、壁部４に固定されている。床部３は、建築物の形状によって１または複数の床パネル３０によって構成されている。
【００３２】
床パネル３０は、木材が格子状に組まれた床枠組３１と、床枠組３１の上面に接合された床用構造用合板３２と、を備えている。床枠組３１は、いわゆる２×１２材と呼ばれる規格化されたサイズの木材で形成されており、全体的に矩形枠状に組まれている。床枠組３１は、外周枠を形成するように矩形枠状に組まれた端根太３１ａと、Ｙ方向で対向する端根太３１ａ間に橋渡しされた補助根太３１ｂと、端根太３１ａおよび補助根太３１ｂの間に所定のピッチでＸ方向に橋渡しされた複数の床根太３１ｃと、で構成されている。端根太３１ａおよび補助根太３１ｂの下面は、基礎部２でしっかり支えられている。端根太３１ａ、補助根太３１ｂ、および床根太３１ｃの上面は、同一平面を構成するように形成されている。床用構造用合板３２は、建築基準法に適合する強度のある合板で、端根太３１ａ、補助根太３１ｂ、および床根太３１ｃに多数の釘で接合されている。このように構成された床パネル３０は、水平方向に広がり、その上に加わる実用的な荷重に十分耐えることができる強度を備えている。
【００３３】
＜＜壁部＞＞
図２は、壁部４を水平方向に切断した横断面図であり、図１におけるＨ−Ｈ断面図である。図３は、壁部４を壁面に垂直な方向で切断した縦断面図であり、図１におけるＶ−Ｖ断面図である。図４は、壁部４を壁面に平行な方向で切断した縦断面図であり、図２におけるＦ−Ｆ断面図である。以下、図１と併せて図２〜図４も参照して壁部４について説明する。なお、図４においては、断面方向と反対側に位置する部材についても想像線で示している。
【００３４】
壁部４は、床部３の上面に設置される複数の壁パネル（耐力壁）４０と、複数の壁パネル４０の上部を連結させる頭つなぎ４４（図３、４参照）と、壁パネル４０の屋外側に固定される横あて木４５および縦あて木４６と、を備えている。縦あて木４６は、防水部材４７（図２参照）を介在させて壁パネル４０に固定されている。壁部４は、壁パネル４０を立てて床部３の周縁を囲うように並べられて設置されており、床パネル３０に強固に固定されている。これにより、床パネル３０と壁パネル４０とで建築物を支える強度が確保された箱型構造が形成されている。なお、頭つなぎ４４の上には、二階部分の床部３が強固に固定されている。また、壁パネル４０の中には、大きな開口を設けて窓や扉が配置されているものもある。
【００３５】
壁パネル４０は、木材が格子状に組まれて形成された壁枠組４１と、鉛直方向に並んだ釘（接合具）Ｎによって壁枠組４１の屋外側の面に接合された壁用構造用合板４２と、を備えている。壁枠組４１と壁用構造用合板４２とで構成される壁パネル４０は、建築基準法に適合する耐力壁となっている。壁用構造用合板４２は、排水ガイド４３（図２参照）を介在させて壁枠組４１に接合されている。
【００３６】
壁枠組４１は、いわゆる２×４材と呼ばれる規格化されたサイズの木材で形成されており、全体的に矩形枠状に組まれている。壁枠組４１は、鉛直方向に延びて水平方向に所定のピッチで並べられた複数の竪枠４１ａと、水平方向に延びて複数の竪枠４１ａの上側および下側の端部に接合された上枠４１ｂおよび下枠４１ｃと、で構成されている。
【００３７】
壁用構造用合板４２は、建築基準法に適合する強度のある合板である。壁用構造用合板４２は、建築基準法に適合する耐力壁を構成するために、屋外側から１０ｃｍ以下のピッチで多数の釘（接合具）Ｎが打ち込まれて、壁枠組４１の竪枠４１ａに接合されている。このように接合された壁用構造用合板４２の鉛直方向に延びる縦縁部分の表面には、多数の釘Ｎの頭が露出している。壁用構造合板４２は、壁枠組４１と同等の幅で、後述する頭つなぎ４４の上端位置から床部３の下端位置まで広がって、全体的に矩形状をしている。また、壁用構造用合板４２における縦あて木４５と対峙する面（屋外側の面）には、断面が円弧状で鉛直方向一杯に延びた凹みである第１の溝部Ｄ１が形成されている（図２、図４参照）。この第１の溝部Ｄ１は、壁用構造用合板４２の縦縁部分において、釘Ｎが打ち込まれる部分より内側に形成されている。この第１の溝部Ｄ１は、後述する縦あて木４６が重なる部分に形成されている。また、この第１の溝部Ｄ１には、後述する防水部材４５がはまり込んでいる。また、壁用構造用合板４２の下側のコーナーＣは、斜めにカットされている。ここで、木造建築物１においては、複数の壁パネル４０が水平方向に並べられており、隣り合う壁用構造用合板４２の間には、鉛直方向に延びる隙間Ｓが空いている。また、壁用構造用合板４２間の間の下側のコーナーＣは、斜めにカットされていることにより大きな開口Ｅが形成されている。この開口Ｅからは、後述する排水ガイド４３の下端部が突出している。なお、本実施形態の第１の溝部Ｄ１は、断面が円弧上に形成されているが、これに限らない。たとえば、断面が矩形状であってもよい。また、本実施形態では、壁用構造用合板４２の下側のコーナーＣは、斜めにカットされており、１回のカットで形成できる点で好ましいがこれに限らない。例えば、壁用構造用合板の下側のコーナーは、矩形状にカットされていてもよい。
【００３８】
排水ガイド４３は、鉛直方向に延びて、隣接する壁用構造用合板４２における互いの縦縁部分にまたがる位置で、壁枠組４１と壁用構造用合板４２との間に挟まれるように配置されている防水紙である。排水ガイド４３は、その上端部が壁用構造用合板４２の上端部より僅かに上方まで、その下端部が壁用構造用合板４２の下端部より下方まで延びている。すなわち、排水ガイド４３は、隣り合う壁用構造用合板４２間の隙間Ｓを完全に覆っている。そして、排水ガイド４３の下端部は、壁用構造用合板４２のコーナーＣ付近の開口Ｅにおいて露出している。これにより、隙間Ｓから開口Ｅにかけて、水が流れることが可能な排水路Ｗ（図３、図４参照）が形成されている。開口Ｅから露出する排水ガイド４３の下端部は、図３に示すように屋外側に傾斜させると雨水を基礎部から遠ざけて排出しやすくなる点で好ましいが、傾斜させずに雨水を下方に導いてもよい。なお、本実施形態の排水ガイド４３は防水紙であるが、水を通さなければこれに限らない。例えば、ゴムシートや薄い樹脂プレートであってもよい。
【００３９】
頭つなぎ４４は、いわゆる２×４材と呼ばれる規格化されたサイズで水平方向に延びる木材である。頭つなぎ４４は、壁用構造用合板４２の複数の壁枠組４１の上枠４１ｂと強固に接合されている。これにより、複数の壁枠組４１は、上端部において、それぞれ壁面に垂直な方向Ｙにずれないで一体化する。なお、本実施形態では壁枠組４１の上枠４１ｂと頭つなぎ４４とは別体としているが、一体としてもよい。すなわち、壁枠組４１の竪枠の端部を直接頭つなぎ４４に接合してもよい。
【００４０】
横あて木４５は、複数の壁用構造用合板４２をまたいで、壁用構造用合板４２の上端部に沿って水平方向に延びる木材である。横あて木４５は、ステンレス等のさびにくい材質の木ネジによって、壁用構造用合板４２と共締めで壁枠組４１の上枠４１ｂまたは頭つなぎ４４に固定されている。横あて木４５の上側の面と壁用構造用合板４２との隅にはコーキングが施されている。
【００４１】
縦あて木４６は、隣接する壁用構造用合板４２における互いの縦縁部分をまたがる位置で、横あて木４５の下端から壁用構造用合板の下端まで鉛直方向に延びる木材である。縦あて木４６は、隣接する壁用構造用合板４２の縦縁部分において露出する釘（接合具）Ｎを覆い隠す幅で形成されている。すなわち、縦あて木４６は、壁用構造用合板４２間の隙間Ｓとも重なり合っている。縦あて木４６は、ステンレス等のさびにくい材質の木ネジによって、壁用構造用合板４２と共締めで壁枠組４１の竪枠４１ａに固定されている。縦あて木４６は、下端部の壁用構造用合板４２側にＸ方向に延びる斜面Ｒが形成されている。この斜面Ｒに沿って、壁用構造用合板４２と縦あて木４６との間は、下側Ｚ２に向かって広がる空間となる。この空間は、壁用構造用合板４２間の隙間Ｓと繋がっている。なお、本実施形態では、横あて木４５が複数の壁用構造用合板４２をまたいで水平方向に長く延びており、縦あて木４６が横あて木４５の位置で分割されるように構成しているが、逆でもよい。すなわち、縦あて木４６が複数の壁用構造用合板４２をまたいで鉛直方向に長く延び、横あて木４５が縦あて木４６の位置で分割されるように構成してもよい。また、本実施形態では、縦あて木４６の構造用合板４２側の下端部は、Ｘ方向に延びる斜面Ｒが形成されており１回のカットで形成できる点で好ましいが、開口Ｅの屋外側に空間が形成されればこれに限らない。例えば、縦あて木４６の構造用合板４２側の下端部に屋外側への段差を形成してもよい。
【００４２】
防水部材４７は、断面が円形状の鉛直方向に延びるゴム材で、壁用構造用合板４２の第１の溝部Ｄ１にはめ込まれている。また、防水部材４７は、第１の溝部Ｄ１と反対側から縦あて木４６が押し付けられてつぶれ、縦あて木４６にしっかり密着している。これにより、防水部材４７と壁用構造用合板４２との間、および防水部材４７と縦あて木４６との間からは水が浸入しない。なお、本実施形態の防水部材４７は、ゴムで成型されたものであるが、柔軟性があればこれに限らない。たとえば、エラストマーといった柔軟性のある樹脂や、コーキング剤等のように液状のものを固化させるものであってもよい。また、本実施形態の防水部材４７は、断面が円形状であるが、壁用構造用合板４２および縦あて木４６と鉛直方向に長く密着すればこれに限らない。たとえば、断面が矩形状や星形状であってもよい。
【００４３】
このように構成された壁部４には、壁用構造合板４２の上にサイディング材等が貼られておらず、壁用構造用合板４２の大部分、縦あて木４５、および横あて木４６の屋外側の面が屋外に露出している。これにより、壁部４は、外気にふれて乾燥しやすく構成されていると共に、壁面の状態が目視で確認しやすく構成されている。
【００４４】
＜＜屋根部＞＞
図１を参照して屋根部５を説明する。屋根部５は、頂上側に位置してＹ方向に延びる棟木５１と、棟木５１の両側面から下側に傾斜して延びる複数の垂木５２と、Ｘ方向に延びてＹ方向で同じ位置にある垂木５２に連結される屋根根太５３と、Ｙ方向に延びて複数の垂木５２の端部に連結される鼻隠し５４と、屋根根太５３の上に貼られる屋根用構造用合板５５と、を備えている。棟木５１は、いわゆる２×６材と呼ばれる規格化されたサイズ木材により形成されている。垂木５２は、いわゆる２×６材と呼ばれる規格化されたサイズ木材により形成されている。屋根根太５３は、いわゆる２×４材と呼ばれる規格化されたサイズ木材により形成されている。鼻隠し５４は、いわゆる２×６材と呼ばれる規格化されたサイズ木材により形成されている。屋根部５は、棟木５１、垂木５２および鼻隠し５４によって格子状に組まれた屋根枠に屋根用構造用合板５５が貼られた屋根パネルが形成されている。また、屋根部５は、垂木５２と屋根根太５３とでトラス構造が形成されて強度が確保されている。また、屋根部５は、屋根用構造用合板の上に防水紙等を挟んで屋根材（不図示）が載置されて、雨水の屋内への侵入を防止するよう構成されている。なお、本実施形態では、屋根部５は、棟木５１の両側面から下方に傾斜している構造であるが、壁部で囲まれた範囲の上方を覆う屋根構造であればこれに限らない。たとえば、一定方向の傾斜であるいわゆる片流れの屋根構造であってもよい。
【００４５】
＜＜効果＞＞
このように構成された木造建築物１は、壁用構造用合板４２の縦縁部分が釘（接合具）Ｎによって壁枠組４１にしっかり接合されて構成された耐力壁である壁パネル４０を有しており、この壁パネル４０が用いられて木造枠組工法で建築されている。これにより木造建築物１は、建築強度が確保されている。また、複数並べられた壁用構造用合板４２間の隙間Ｓから屋内に雨水が侵入する恐れがあるが、木造建築物１は、隣接する壁用構造用合板４２の縦縁部分にまたがる位置で屋外側から固定される縦あて木４６を備えているため、直接この隙間Ｓから雨水が侵入しない。そして、木造建築物１は、壁用構造用合板４２と縦あて木４６との間に介在する防水部材４５をそなえているため、壁用構造用合板４２と縦あて木４６との間を通って壁用構造用合板４２間の隙間Ｓに侵入する雨水の流路が遮断されている。これらにより、木造建築物１は、屋内への雨水の侵入が防止されている。また、木造建築物１は、壁用構造用合板４２および縦あて木４６の屋外側の面が屋外に露出しているため、壁パネル４０の状態の目視確認が容易である。また、木造建築物１は、壁パネル４０を覆うサイディング材等を用いない分、従来よりも安価に建築可能である。したがって、本実施形態によれば、壁パネル４０の状態の目視確認が容易であると共に、屋内への雨水の侵入防止対策および建築物の強度の確保がされた上で従来よりも安価に建築可能な木造枠組壁工法で建築される木造建築物１が提供される。
【００４６】
なお、木造建築物１の壁用構造用合板４２は、従来のように防水紙で覆われていないため、雨水が直接あたる。しかし、壁用構造用合板４２は、大部分が屋外に露出しており乾燥しやすいため、腐食し難い。また、木造建築物１の壁用構造用合板４２間の隙間Ｓは、屋外側が縦あて木４６で覆われているため、屋外に露出しない。このため、壁用構造用合板４２は、外形加工精度や取り付け位置精度を多少ラフにしても問題なく、コストダウンに貢献させてもよい。また、木造建築物１は、露出すると外観上好ましくない釘（接合具）Ｎや壁用構造用合板４２間の隙間Ｓが縦あて木４６により覆われているため、外観上の点でも良好である。
【００４７】
また、木造建築物１の防水部材４７は、弾力性があるゴムが材質として用いられており、壁用構造用合板４２および縦あて木４６にしっかり密着する。したがって、本実施形態によれば、壁用構造用合板間４２の隙間Ｓへの雨水の侵入を鉛直方向全体にわたって防ぐことができる。
【００４８】
また、木造建築物１の壁用構造用合板４２は、防水部材４７がはまり込む第１の溝部Ｄ１が形成されており、防水部材４７がずれ難くなっているのと共に防水部材４７との密着面積が大きくなっている。したがって、本実施形態によれば、壁用構造用合板４２間の隙間Ｓへの雨水の侵入をよりしっかり防ぐことができる。
【００４９】
また、木造建築物１は、壁枠組４１と壁用構造用合板４２との間に配置された排水ガイド４３を備えているため、たとえ壁用構造用合板４２間の隙間Ｓに雨水が侵入したとしても、この排水ガイド４３を伝って雨水が下方に導かれ排出される。したがって、本実施形態によれば、壁用構造用合板４２間の隙間Ｓから屋内への雨水の到達を防ぐことができる。
【００５０】
また、この木造建築物１は、壁用構造用合板４２の下側のコーナーＣが斜めにカットされており、壁用構造用合板４２間の隙間Ｓが下方で壁面に平行なＸ方向において広がっている。また、この木造建築物１は、縦あて木４６の下側の下端部の構造用合板側４２に斜面Ｒが形成されているため、下方において壁用構造用合板４２と縦あて木４６との間に空間が形成される。この空間は、壁用構造用合板４２間の隙間Ｓと繋がっている。これらにより、排水ガイド４３を伝って下方に導かれた雨水は、下端部で詰まり難くなり、屋外に排出されやすくなる。したがって、本実施形態によれば、壁用構造用合板４２間の隙間Ｓから屋内への雨水の到達の恐れを低減することができる。
【００５１】
＜第２実施形態＞
図５は、第２実施形態の木造建築物の壁部１０４を水平方向に切断した断面図である。本実施形態の木造建築物は、第１実施形態の木造建築物１に対して、壁部１０４における壁用構造用合板１４２の形状および防水部材１４７のみが異なる。このため、以下では異なる部分について説明し、同様の部分については図面において第１実施形態と同じ符号を付して説明を省略する。
【００５２】
壁用構造用合板１４２は、屋外側の面に第１実施形態の壁用構造用合板４２に形成されていた第１の溝部Ｄ１のような溝が形成されていない点で、第１実施形態の壁用構造用合板４２と異なる。その他の点においては、壁用構造用合板１４２は、第１実施形態の壁用構造用合板４２と同様である。
【００５３】
防水部材１４７は、両面テープであり、壁用構造用合板４１の鉛直方向の長さで形成されている。防水部材１４７は、一方の面が壁用構造用合板４１に、他方の面が横あて木４５または縦あて木４６に貼りついている。これにより、防水部材１４７と壁用構造用合板４２との間、および防水部材１４７と縦あて木４６との間からは水が浸入しない。
【００５４】
本実施形態によれば、木造建築物の防水部材１４７は、両面テープが用いられており施工が容易である。したがって、本実施形態によれば、容易な施工で壁用構造用合板４２間の隙間Ｓへの雨水の侵入を防ぐことができる。
【００５５】
＜第３実施形態＞
図６は、第２実施形態の木造建築物の壁部２０４を水平方向に切断した断面図である。本実施形態の木造建築物は、第１実施形態の木造建築物１に対して壁部２０４における壁用構造用合板２４２、縦あて木２４６の形状、防水部材２４７、および排水ガイドの有無のみが異なる。このため、以下では異なる部分について説明し、同様の部分については図面において第１実施形態と同じ符号を付して説明を省略する。
【００５６】
壁用構造用合板２４２は、屋外側の面に第１実施形態の壁用構造用合板４２に形成されていた第１の溝部Ｄ１のような溝が形成されていない点、および下側の角に形成されていた面取り加工Ｃが施されていない点で、第１実施形態の壁用構造用合板４２と異なる。その他の点は、第１実施形態の壁用構造用合板４２と同様である。また、第１実施形態の構造用合板４２は、排水ガイド４３を挟んで壁枠組４１に接合されていたが、本実施形態の構造用合板２４２は直接壁枠組４１に接合されている。
【００５７】
縦あて木２４６は、第１実施形態の縦あて木４６に対して、壁用構造用合板２４２と対峙する面（屋内側の面）には、断面が円弧状で鉛直方向一杯に延びた凹みである第２の溝部Ｄ２が形成されている。この第２の溝部Ｄ２は、接合具Ｎと重なる位置よりも外側に２箇所形成されており、後述する防水部材２４７の屋外側突起部２４７ｂがはまり込んでいる。また、縦あて木２４６の屋外側の面は、曲面となっている。また、縦あて木２４６の下端部の壁用構造用合板２４２側には斜面が形成されていない。その他の点においては、縦あて木２４６は、第１実施形態の縦あて木４６と同様である。本実施形態の縦あて木２４６のように、あて木の屋外側は、平面である必要がなく、施主の外観デザインの要望に従って、曲面等の加工を施してもよい。
【００５８】
防水部材２４７は、板状のシート部２４７ａと、シート部２４７ａの縦あて木２４６と対峙する面に断面が円弧上に突出する屋外側突起部２４７ｂと、シート部２４７ａの壁用構造用合板２４２と対峙する面に断面が円弧上に突出する屋内側突起部２４７ｃと、で構成されている。シート部２４７ａは、幅が縦あて木２４６より僅かに狭く、鉛直方向の長さが壁用構造用合板の鉛直方向の長さと同等に形成されている。屋外側突起部２４７ｂは、縦あて木に形成された第２の溝部Ｄ２に対応した位置および断面形状で、長さ方向一杯に延びる形で２箇所形成されており、第２の溝部Ｄ２にはまり込んでいる。屋内側突起部２４７ｃは、隣接する壁用構造用合板２４２間の隙間Ｓの幅に対応する幅で、長さ方向一杯に延びる形で形成されており、隙間Ｓにはまり込んでいる。
【００５９】
本実施形態によれば、縦あて木２４６は、防水部材２４７の屋外側突起部２４７ｂがはまり込む第２の溝部Ｄ２が形成されており、防水部材２４７がずれ難くなっているのと共に防水部材２４７との密着面積が大きくなっている。したがって、本実施形態によれば、壁用構造用合板４２間の隙間Ｓへの雨水の侵入をしっかりと防ぐことができる。
【符号の説明】
【００６０】
１‥木造建築物
２‥基礎部
３‥床部
４、１０４、２０４‥壁部
５‥屋根部
４０‥壁パネル（耐力壁）
４１‥壁枠組
４２、１４２、２４２‥壁用構造用合板
４３‥排水ガイド
４６、２４６‥縦あて木
４７、１４７、２４７‥防水部材
Ｃ‥コーナー
Ｄ１‥第１の溝部、Ｄ２‥第２の溝部
Ｎ‥くぎ（接合具）
Ｒ‥斜面
Ｚ‥鉛直方向
【図１】
2018076710.tif 000003
【図２】
2018076710.tif 000004
【図３】
2018076710.tif 000005
【図４】
2018076710.tif 000006
【図５】
2018076710.tif 000007
【図６】
2018076710.tif 000008
【手続補正書】
【提出日】平成28年11月30日(2016.11.30)
【手続補正１】
【補正対象書類名】明細書
【補正対象項目名】００３７
【補正方法】変更
【補正の内容】
【００３７】
壁用構造用合板４２は、建築基準法に適合する強度のある合板である。壁用構造用合板４２は、建築基準法に適合する耐力壁を構成するために、屋外側から１０ｃｍ以下のピッチで多数の釘（接合具）Ｎが打ち込まれて、壁枠組４１の竪枠４１ａに接合されている。このように接合された壁用構造用合板４２の鉛直方向に延びる縦縁部分の表面には、多数の釘Ｎの頭が露出している。壁用構造合板４２は、壁枠組４１と同等の幅で、後述する頭つなぎ４４の上端位置から床部３の下端位置まで広がって、全体的に矩形状をしている。また、壁用構造用合板４２における縦あて木４６と対峙する面（屋外側の面）には、断面が円弧状で鉛直方向一杯に延びた凹みである第１の溝部Ｄ１が形成されている（図２、図４参照）。この第１の溝部Ｄ１は、壁用構造用合板４２の縦縁部分において、釘Ｎが打ち込まれる部分より内側に形成されている。この第１の溝部Ｄ１は、後述する縦あて木４６が重なる部分に形成されている。また、この第１の溝部Ｄ１には、後述する防水部材４７がはまり込んでいる。また、壁用構造用合板４２の下側のコーナーＣは、斜めにカットされている。ここで、木造建築物１においては、複数の壁パネル４０が水平方向に並べられており、隣り合う壁用構造用合板４２の間には、鉛直方向に延びる隙間Ｓが空いている。また、壁用構造用合板４２間の間の下側のコーナーＣは、斜めにカットされていることにより大きな開口Ｅが形成されている。この開口Ｅからは、後述する排水ガイド４３の下端部が突出している。なお、本実施形態の第１の溝部Ｄ１は、断面が円弧上に形成されているが、これに限らない。たとえば、断面が矩形状であってもよい。また、本実施形態では、壁用構造用合板４２の下側のコーナーＣは、斜めにカットされており、１回のカットで形成できる点で好ましいがこれに限らない。例えば、壁用構造用合板の下側のコーナーは、矩形状にカットされていてもよい。
【手続補正２】
【補正対象書類名】明細書
【補正対象項目名】００３９
【補正方法】変更
【補正の内容】
【００３９】
頭つなぎ４４は、いわゆる２×４材と呼ばれる規格化されたサイズで水平方向に延びる木材である。頭つなぎ４４は、壁パネル４０の複数の壁枠組４１の上枠４１ｂと強固に接合されている。これにより、複数の壁枠組４１は、上端部において、それぞれ壁面に垂直な方向Ｙにずれないで一体化する。なお、本実施形態では壁枠組４１の上枠４１ｂと頭つなぎ４４とは別体としているが、一体としてもよい。すなわち、壁枠組４１の竪枠の端部を直接頭つなぎ４４に接合してもよい。
【手続補正３】
【補正対象書類名】明細書
【補正対象項目名】００４３
【補正方法】変更
【補正の内容】
【００４３】
このように構成された壁部４には、壁用構造合板４２の上にサイディング材等が貼られておらず、壁用構造用合板４２の大部分、横あて木４５、および縦あて木４６の屋外側の面が屋外に露出している。これにより、壁部４は、外気にふれて乾燥しやすく構成されていると共に、壁面の状態が目視で確認しやすく構成されている。
【手続補正４】
【補正対象書類名】明細書
【補正対象項目名】００４５
【補正方法】変更
【補正の内容】
【００４５】
＜＜効果＞＞
このように構成された木造建築物１は、壁用構造用合板４２の縦縁部分が釘（接合具）Ｎによって壁枠組４１にしっかり接合されて構成された耐力壁である壁パネル４０を有しており、この壁パネル４０が用いられて木造枠組工法で建築されている。これにより木造建築物１は、建築強度が確保されている。また、複数並べられた壁用構造用合板４２間の隙間Ｓから屋内に雨水が侵入する恐れがあるが、木造建築物１は、隣接する壁用構造用合板４２の縦縁部分にまたがる位置で屋外側から固定される縦あて木４６を備えているため、直接この隙間Ｓから雨水が侵入しない。そして、木造建築物１は、壁用構造用合板４２と縦あて木４６との間に介在する防水部材４７をそなえているため、壁用構造用合板４２と縦あて木４６との間を通って壁用構造用合板４２間の隙間Ｓに侵入する雨水の流路が遮断されている。これらにより、木造建築物１は、屋内への雨水の侵入が防止されている。また、木造建築物１は、壁用構造用合板４２および縦あて木４６の屋外側の面が屋外に露出しているため、壁パネル４０の状態の目視確認が容易である。また、木造建築物１は、壁パネル４０を覆うサイディング材等を用いない分、従来よりも安価に建築可能である。したがって、本実施形態によれば、壁パネル４０の状態の目視確認が容易であると共に、屋内への雨水の侵入防止対策および建築物の強度の確保がされた上で従来よりも安価に建築可能な木造枠組壁工法で建築される木造建築物１が提供される。
【手続補正５】
【補正対象書類名】明細書
【補正対象項目名】００５３
【補正方法】変更
【補正の内容】
【００５３】
防水部材１４７は、両面テープであり、壁用構造用合板１４２の鉛直方向の長さで形成されている。防水部材１４７は、一方の面が壁用構造用合板１４２に、他方の面が横あて木４５または縦あて木４６に貼りついている。これにより、防水部材１４７と壁用構造用合板１４２との間、および防水部材１４７と縦あて木４６との間からは水が浸入しない。
【手続補正６】
【補正対象書類名】明細書
【補正対象項目名】００５４
【補正方法】変更
【補正の内容】
【００５４】
本実施形態によれば、木造建築物の防水部材１４７は、両面テープが用いられており施工が容易である。したがって、本実施形態によれば、容易な施工で壁用構造用合板１４２間の隙間Ｓへの雨水の侵入を防ぐことができる。
【手続補正７】
【補正対象書類名】明細書
【補正対象項目名】００５９
【補正方法】変更
【補正の内容】
【００５９】
本実施形態によれば、縦あて木２４６は、防水部材２４７の屋外側突起部２４７ｂがはまり込む第２の溝部Ｄ２が形成されており、防水部材２４７がずれ難くなっているのと共に防水部材２４７との密着面積が大きくなっている。したがって、本実施形態によれば、壁用構造用合板２４２間の隙間Ｓへの雨水の侵入をしっかりと防ぐことができる。
【手続補正９】
【補正対象書類名】図面
【補正対象項目名】図６
【補正方法】変更
【補正の内容】
【図６】
2018076710.tif 000009